(57)【要約】【課題】  山林内に造成される砂防堰堤の前面壁を、経年的に周囲の樹林と良くマッチングさせ、違和感の無い緑化壁面が形成されるものにする。【解決手段】    砂防堰堤の前面側コンクリート壁面を上方へ向かって１ｍ〜１．５ｍの間隔で階段壁面に作成し、各階段部に対してその前面から奧側内方へ入り込む断面乙字形状で、且つその断面積が少なくとも０．１ｍ２〜０．２ｍ２となる室洞を形成すると共に、各室洞に対し基盤土材を填入して植樹させる。この植樹の隣り合う間隔は凡そ１．５ｍ〜２ｃｍとなし、且つ上下方向で重なり合わない中間位置へ植樹させるようにする。【選択図】      図２
2008075387.tif 000002
【特許請求の範囲】
【請求項１】
砂防堰堤の前面側コンクリート壁面を上方へ向かって１ｍ〜１．５ｍの間隔で階段壁面に作成し、各階段部に対してその前面から奧側内方へ入り込む断面乙字形状で、且つその断面積が少なくとも０．１ｍ２〜０．２ｍ２となる室洞を形成すると共に、各室洞に対し基盤土材を填入して植樹させたことを特徴とする砂防堰堤の緑化壁面。
【請求項２】
砂防堰堤の前面側コンクリート壁面を上方へ向かって１ｍ〜１．５ｍの間隔で区分けされる階段壁面に形成するにさいし、各階段部は前壁面から一定距離の後退箇所へ変形Ｚ型で高さ寸法を１．３ｍ〜１．８ｍとなした前側型枠を立設させ、一方該型枠の上端より３０ｃｍ下方附近から、特定距離の奧側へ立設させた後側型枠間をセパレーターで連結し、両者型枠間で平盤台のコンクリート打ちを行い、他方上記前側型枠の突出した上方部分から２０ｃｍ程度後退した箇所に対し、上記突出高さと同高さ寸法の型板をセパレーターを使用して取付け、上記平盤台のコンクリート打ちのさい同時にコンクリート打ちを行って上方へ突出する係止壁を一体的に作成し、且つこれら一連の作業を上方箇所で一定距離にずらせながら複数回繰り返し行うものとなし、これにより係止壁の奧側にその断面積が少なくとも０．１ｍ２〜０．２ｍ２となされる室洞を形成し、該室洞内に対し緑化用の基盤土材を填入し植樹を可能ならしめることを特徴とする請求項１記載の砂防堰堤の緑化壁面の建設工法。
【請求項３】
請求項２記載の一定距離は６０ｃｍであることを特徴とした砂防堰堤の緑化壁面の建設工法。
【請求項４】
請求項２記載の一定距離は６５ｃｍであることを特徴とした砂防堰堤の緑化壁面の建設工法。
【請求項５】
上記係止壁の底部と平盤台コンクリートとの接合箇所付近に、堰堤壁前面に向かって水抜き管を設けてあることを特徴とする請求項２，３又は４記載の砂防堰堤の緑化壁面の建設工法。
【請求項６】
各階段部に於ける隣り合う植樹間距離は１．５ｍ〜２ｍとなし、且つ各階段部に於ける上記植樹がその上下方向で重なり合わない配置となされることを特徴とする請求項２，３，４又は５記載の砂防堰堤の緑化壁面の建設工法。
【発明の詳細な説明】
【技術分野】
【０００１】
本発明は緑化対策の施された砂防堰堤の緑化壁面及びその建設工法に関する。
【背景技術】
【０００２】
我が国はその急峻地形と近年の集中豪雨で至る所で、土砂崩壌や土石流が頻発しており、その防止対策として沢山の砂防堰堤が築造され、大きな貢献を果たしている。ところで、築造される堰堤の材質はコンクリートであったり、石積みであったり、又鋼製のものもあるが殺風景で周囲とのマッチングが不充分である。ところで、最近はこの点を考慮して壁面に間伐材を張り付けたりすることが行われているが、経年的に評価して本格的な緑化対策にはなっていない。
【特許文献１】特開２００５−４８４６１
【発明の開示】
【発明が解決しようとする課題】
【０００３】
本発明は上記問題点を解決せんとするものであって、即ち一次的な応急対策としての緑化ではなく、経年的に周囲の森林とマッチングして全く違和感を生じさせない緑化壁面及びその建設工法を提供せんとするものである。
【課題を解決するための手段】
【０００４】
本発明は、砂防堰堤の前面側コンクリート壁面を上方へ向かって１ｍ〜１．５ｍの間隔で階段壁面に作成し、各階段部に対してその前面から奧側内方へ入り込む断面乙字形状で、且つその断面積が少なくとも０．１ｍ２〜０．２ｍ２となる室洞を形成すると共に、各室洞に対し基盤土材を填入して植樹させたことを特徴とする砂防堰堤壁面であり、このさい該砂防堰堤壁面の建設は砂防堰堤の前面側コンクリート壁面を上方へ向かって１ｍ〜１．５ｍの間隔で区分けされる階段壁面に形成するのであり、各階段部は前壁面から一定距離の後退箇所へ変形Ｚ型で高さ寸法を１．３ｍ〜１．８ｍとなした前側型枠を立設させ、一方該型枠の上端より３０ｃｍ下方附近から、特定距離の奧側へ立設させた後側型枠間をセパレーターで連結し、両者型枠間で平盤台のコンクリート打ちを行い、他方上記前側型枠の突出した上方部分から２０ｃｍ程度後退した箇所に対しては、上記突出高さと同高さ寸法の型板をセパレーターを使用して取付け、上記平盤台のコンクリート打ちのさい同時にコンクリート打ちを行って上方へ突出する係止壁を一体的に作成し、且つこれら一連の作業を上方箇所で一定距離にずらせながら複数回繰り返し行うものとなし、且つこのとき係止壁の奧側にその断面積が少なくとも０．１ｍ２〜０．２ｍ２となされる室洞を形成し、該室洞内に対し緑化用の基盤土材を填入して植樹を可能ならしめることを特徴とする。また、各階段部の植樹間距離は凡そ１．５ｍ〜２ｍとなすのであり、且つこれら植樹される樹木は各階段部の上下方向で重なり合わないように工夫される。
【０００５】
上記した本発明で一定距離は６０ｃｍと、６５ｃｍを基準にするのであり、また上記係止壁の底部と平盤台コンクリートとの接合箇所付近に、堰堤壁前面に向かって水抜き管を設けたりするのである。
【発明の効果】
【０００６】
本発明は以上の如き構成のため、即ち砂防堰堤の壁面は１ｍ〜１．５ｍの間隔で上方へ向かって後退する階段状の壁面に形成されており、各段の区画箇所に対して比較的大容積の室洞を形成し、該室洞内へ基盤土材を填入して植樹させることから、上記の如き構成で植栽される樹木は砂防堰堤の前面壁で周辺の立木と全く同様に大きく成長することができるのであり、経年的には渾然一体化されるものとなる。
【０００７】
上記砂防堰堤の建設にさいし各階段壁面は、その型枠を含む建設資材などの点で工事が行い易くなる、即ち段階壁面の高さ寸法を１ｍ〜１．５ｍに規定するのであり、このことは今日問題の荒れ放題に放置されている山林内の砂防堰堤工事を簡便容易に実施可能にする上で貢献するのであり、またこのさい型枠の高さ寸法を１．３ｍ〜１．８とすることは運搬やその取扱いの点で作業性に優れ、効率的で安価な作業の遂行に寄与するものとなる。
【発明を実施するための最良の形態】
【０００８】
図１は本発明になる砂防堰堤の正面図、図２はその中央切断側面図、図３は部分詳細説明図である。上記図面に見られる通り、本発明になる砂防堰堤壁面１は、その下底から上方に向かって、一定高さ寸法で奧側へ後退する状態に構成するのであり、そのさい奧側へ入り込む断面視乙字形状で、且つその断面積が少なくとも０．１ｍ２〜０．２ｍ２を有する室洞２が形成されるものとなされる。
【０００９】
３は上記室洞２内へ填入させる培養土を含む基盤土材であり、４は植樹させた緑葉樹である。ところで、本発明になる階段状の段部を備えた砂防堰堤壁面１は、次述するその建設工法から明らかな通り、その前壁面から４５ｃｍ、或いは６５ｃｍの割合で順次に後退するようになし、且つその奧側へ基盤土材３を確保するに必要な一定大きさの室洞２を形成させ、該室洞２内の基盤土材３はその前面側へ設けた係止壁５を介し、その流出が阻止されるようになしてあり、これにより一定容積下の基盤土材３内へ樹木４が安定的に植樹されるものとなっている。このさい、係止壁５と後側壁面間ｓには少なくとも２０ｃｍ〜３５ｃｍの立上り幅が形成されるものとなり、これにより樹木４の生育に必要な一定空間ｗが確保されるものとなっている。
【００１０】
図４は上記砂防堰堤壁面１を建設するさい使用する前側型板６の斜視図であり、図示例の如く変形Ｚ型（平行四辺形で平行をなす一辺を鈍角方向へずらせた形状）で高さ寸法ｈを１．３ｍ〜１．８ｍとなしたものであり、このさいｍ１は３０ｃｍ、ｍ２は３０ｃｍ〜４０ｃｍ、ｍ３は４０ｃｍ〜８０ｃｍ、ｍ４は３０ｃｍ、ｎ２は２０ｃｍ〜３０ｃｍ、Ｌは１５０ｃｍ〜１８０ｃｍとなされる。
【００１１】
図５は建設工法の一例を示すものであって、上記前側型板６を１ｍ〜１．５ｍの間隔で上方に向かって立設状態に枠組みを行うのであり、このさい該前側型板６を下方側から立上がっている基盤壁Ｇの前面壁より６０ｃｍ、或いは６５ｃｍの後退位置ｋに立設させ、堰堤壁面１と反対の奥側へ立設される後側型枠７との間にはセパレーター８を介して保持させるようになすのである。
【００１２】
９は前側型枠６の上端Ｐから奧側（後退側）へ配設させた補助型板であって、別途セパレーター１０を使用してその上端Ｐから凡そ３０ｃｍの下方範囲に配設し、上記の型枠間のコンクリート打ちのさい該部へのコンクリート打ちも同時に行われて係止壁５が形成されるものとなされる。このさい、係止壁の上端Ｐは凡そ２０ｃｍ、下底部のそれは３０ｃｍ程度となされる。
【００１３】
図６は上記の如く型枠取りされたものに対し、コンクリート打ちして形成された平盤台１１と係止壁５の状態図である。本発明では上記の如き工法を上方に向かって複数回行って、必要高さの砂防堰堤が建設されるようになすのである。なお、上記では図示化していないが、必要に応じ鉄筋を組込みながらコンクリート打ちをしたりすることも差支えない。
【００１４】
上記建設にさいし、階段の高さは低いもので１ｍ、高いものは１．５ｍとなすのであり、上記寸法は型枠やその取扱作業を含む幾多の実験結果から好適な規格として選定したものである。また、係止壁の突出高さは３０ｃｍであり、通常その上面部巾は１０ｃｍ、下底部巾は２０ｃｍとなされる。
【００１５】
又、本発明では特殊形状、即ち変形Ｚ型の前側型板を作成し、その立設状態で上記係止壁５との間に奧側へ入り込んだ断面乙字形状の室洞２が形成されるものとなすのであり、該室洞２は上記型枠及びその配置の構成により、係止壁５との間に断面積で少なくとも０．１ｍ２〜０．２ｍ２が形成されるものとなる。なお、図面で１２は係止壁５と平盤台コンクリートとの接合箇所付近に穿設配置した内径５ｃｍ程度の水抜き管であって、適当間隔で複数箇配置されるものとなされる。
【００１６】
本発明になる上記室洞２は、緑葉樹の多年に亘る充分な生成を可能にする基盤土材３を、貯留させるに足るものであって、これにより樹木４が何ら支障なく成長されるものとなる。但し、植栽する樹木間の距離は凡そ１．５ｍ〜２ｍ離間させるものとなすのであり、またその上下方向では樹木同志が重なり合うことのないように植樹されるのである。
【００１７】
本発明は以上の通り構成するものであって、数年から１０年の経過時点では砂防堰堤を周辺の山林に良くマッチした山肌面に変貌させることができるものとなる。而して、とりわけ簡便容易な建築工法と相俟って荒れ放題で放置されている山林の土砂災害防止に寄与すること大ならしめるものとなる。
【図面の簡単な説明】
【００１８】
【図１】本発明になる砂防堰堤の正面図である。
【図２】同側面図である。
【図３】上記の部分詳細図である。
【図４】本発明の砂防堰堤壁面の建設で使用する前側型枠の斜視図である。
【図５】本発明に係る建設工法の型枠取り例を示す説明図である。
【図６】上記のコンクリート打ちされた状態説明図である。
【符号の説明】
【００１９】
１      砂防堰堤壁面
２      室洞
３      基盤土材
４      緑葉樹
５      係止壁
６      前側型枠
７      後側型枠
８      セパレーター
９      補助型板
１０    セパレーター
１１    平盤台
１２    水抜き管
【図１】
2008075387.tif 000003
【図２】
2008075387.tif 000004
【図３】
2008075387.tif 000005
【図４】
2008075387.tif 000006
【図５】
2008075387.tif 000007
【図６】
2008075387.tif 000008